(57)【要約】  【課題】  記録層を有する光記録媒体に、レーザ光のパルス照射によって、レーザ光のスポット径より小さい記録マーク長の光情報を高密度で記録することを可能にする情報記録方法を提供する。  【解決手段】  所定の信号長を有する信号をレーザ光により記録するための記録パワーを決定するパワーキャリブレーション工程と、パワーキャリブレーション工程により決定された記録パワーに基づき、信号長がレーザ光のスポット径の１／２以下である信号をレーザ光により記録するための記録パワーの補完を行う補完工程と、を有し、例えば、２Ｔ信号のように極端に小さいマークを正確に形成することができる情報記録方法。  【選択図】  図４
2005116153.tif 000002
【特許請求の範囲】
【請求項１】
記録層を有する情報記録媒体に情報を記録する方法であって、
所定の信号長を有する信号をレーザ光により前記記録層に記録するための記録パワーを決定するパワーキャリブレーション工程と、
パワーキャリブレーション工程により決定された前記記録パワーに基づき、信号長が前記レーザ光のスポット径の１／２以下である信号を当該レーザ光により前記記録層に記録するための記録パワーの補完を行う補完工程と、
を有することを特徴とする情報記録方法。
【請求項２】
前記補完工程は、信号長がレーザ光のスポット径の１／２以下である前記信号を、前記記録層に設けられた試し書き領域に予め記録し、記録された記録マークから再生されたＲＦ信号のアシンメトリが略ゼロになるように、キャリブレーション動作を繰り返す処理を有することを特徴とする請求項１記載の情報記録方法。
【請求項３】
前記補完工程は、前記情報記録媒体に信号を記録する場合の記録速度に応じて、それぞれ、信号長が前記レーザ光のスポット径の１／２以下である前記信号を記録するための前記記録パワーを補完する処理を行うことを特徴とする請求項１記載の情報記録方法。
【請求項４】
前記補完工程は、基準となる記録速度により記録した、信号長がレーザ光のスポット径の１／２以下である前記信号の記録パワーに基づき、所定の記録速度における記録パワーを算出する処理を有することを特徴とする請求項１記載の情報記録方法。
【請求項５】
前記補完工程は、情報の信号長が、前記レーザ光のスポット径の１／３以下である前記信号を当該レーザ光により前記記録層に記録するための記録パワーの補完を行うことを特徴とする請求項１記載の情報記録方法。
【請求項６】
前記レーザ光は、所定の間隔をもって前記記録層に断続的に照射されるパルス照射であることを特徴とする請求項１記載の情報記録方法。
【請求項７】
前記レーザ光は、（ｎ−１）個若しくは（ｎ−２）個（但し、ｎが２のときは１個である。）の記録パルスを前記記録層に照射し、長さｎＴ（但し、ｎは２以上の整数であり、Ｔは１チャネルクロックである。）の記録マークを形成することを特徴とする請求項１記載の情報記録方法。
【請求項８】
前記記録層が、有機色素を含有することを特徴とする請求項１記載の情報記録方法。
【請求項９】
基板と、
前記基板上に設けられ、レーザ光の照射により情報が記録される記録層と、を有し、
信号長が前記レーザ光のスポット径の１／２以下である信号を当該レーザ光により前記記録層に記録するための記録パワーのデータが記録されている所定の領域を備えることを特徴とする情報記録媒体。
【請求項１０】
前記所定の領域に、信号長がレーザ光のスポット径の１／２以下である前記信号を記録するための最適記録パワーのデータが記録されていることを特徴とする請求項９記載の情報記録媒体。
【請求項１１】
前記所定の領域に、前記レーザ光により情報を記録する場合の記録速度に応じて、それぞれ、信号長が前記レーザ光のスポット径の１／２以下である前記信号を記録するための前記データが記録されていることを特徴とする請求項９記載の情報記録媒体。
【請求項１２】
前記所定の領域に、基準となる記録速度において、前記レーザ光により信号長が当該レーザ光のスポット径の１／２以下である前記信号を記録するための前記データが記録されていることを特徴とする請求項９記載の情報記録媒体。
【請求項１３】
前記所定の領域は、前記記録層に形成されることを特徴とする請求項９記載の情報記録媒体。
【請求項１４】
前記所定の領域は、スタンパのカッティング工程において前記基板に形成され、信号長がレーザ光のスポット径の１／２以下である前記信号を記録するための前記データが埋め込まれることを特徴とする請求項９記載の情報記録媒媒体。
【請求項１５】
前記レーザ光は、（ｎ−１）個若しくは（ｎ−２）個（但し、ｎが２のときは１個である。）の記録パルスを前記記録層に照射し、長さｎＴ（但し、ｎは２以上の整数であり、Ｔは１チャネルクロックである。）の記録マークを形成するパルス照射であることを特徴とする請求項９記載の情報記録媒体。
【請求項１６】
前記記録層が、有機色素を含有することを特徴とする請求項９記載の情報記録媒体。
【請求項１７】
記録層を有する情報記録媒体に情報を記録するための記録パワーを決定する方法であって、
所定の信号長を有する信号をレーザ光により前記記録層に記録するための記録パワーを決定するパワーキャリブレーション工程と、
パワーキャリブレーション工程により決定された前記記録パワーに基づき、信号長が前記レーザ光のスポット径の１／２以下である信号を当該レーザ光により前記記録層に記録するための記録パワーの補完を行う補完工程と、
を有することを特徴とする記録パワー決定方法。
【発明の詳細な説明】
【技術分野】
【０００１】
本発明は、光学情報の情報記録方法等に関し、より詳しくは、高密度な光学情報の情報記録方法及び情報記録媒体に関する。
【背景技術】
【０００２】
近年、コンピュータ用情報のみならず音声や静止画像、動画像等の情報がデジタル化され、取り扱う情報量がきわめて大きくなってきている。それに伴い、これらの情報を保存するための光記録媒体もより大容量化する必要が生じている。このような光記録媒体には、再生専用情報記録媒体、追加記録が可能な追記型情報記録媒体、そして情報の書換ができる書換型情報記録媒体がある。書換型情報記録媒体としては、光磁気記録媒体や相変化型光記録媒体等が挙げられ、追記型情報記録媒体としては、例えば、記録層に有機色素を含む有機色素系光記録媒体が挙げられる。なかでも、有機色素系の光記録媒体に関しては、波長７８０ｎｍ近傍のレーザ光にて記録再生を行うＣＤ−Ｒが全世界的に普及し、さらに最近では波長６５０ｎｍ近傍のレーザ光にて記録再生を行うＤＶＤ−Ｒ及びＤＶＤ＋Ｒが、ＣＤ−Ｒに続いて普及の兆しが現れている。
【０００３】
この追記型光記録媒体に情報を記録する方法は、有機色素を含む記録層に強いレーザ光を照射することにより、有機色素及びその周辺の基板材料や金属反射膜等の光学特性及び形状を変化させ、未記録状態と記録状態との反射率の差異を生じさせることにより行われる。これまでに、良好な記録品質を得るために、ストラテジ（パルス発光波形規則）を最適化する方法が数多く提案されてきた。ＤＶＤ−Ｒの規格書等に一部示されるとおり、高密度の情報記録のためにマーク長変調記録（マーク及びスペースの信号の変調により記録する方法）において、光記録用の入射レーザ光をマルチパルス化することにより、記録マークのエッジのタイミングを制御する方法が確立されており、ＤＶＤ−Ｒ、ＤＶＤ＋Ｒで実用化されている（例えば、特許文献１参照。）。
【０００４】
【特許文献１】特開２００１−１７６０７２号公報（段落００１７等）
【発明の開示】
【発明が解決しようとする課題】
【０００５】
これまで光記録媒体の容量を飛躍的に増大する方法としては、レーザ光波長（λ）を短波長化し、対物レンズの開口数（ＮＡ）を増大させることにより記録再生用レーザスポット径（レーザ波長／ＮＡ）を縮小する等の技術が行われている。このような技術により、従来のＣＤ−Ｒに比べて７倍の容量を有するＤＶＤ−ＲＡＭやＤＶＤ−ＲＷが製品化されている。今後も情報量が増大する傾向にあることから、光記録媒体の大容量化の要求として、例えば、高画質の映像情報を２時間以上記録するために、１２ｃｍのＣＤサイズで１５ＧＢ以上の容量を持つ媒体が切望されている。このような大容量の媒体を得る方法としては、記録再生用レーザ光の発振波長の更なる短波長化が進められている。即ち、現在のＤＶＤに用いられている波長６４０ｎｍ〜６８０ｎｍの半導体レーザ光に代えて、波長４０５ｎｍのレーザ光を用いて記録再生が可能となる光記録媒体へと開発が進められている。
【０００６】
さらに、次世代ＤＶＤ技術として、１ビットのデータを７ビットのデータ列に置き換えて記録する１−７変調方式が提案されている。即ち、次世代ＤＶＤ技術では、膨大な情報の記録の効率化をさらに高め、光記録媒体の大容量化の要求に応えるために、従来、ＣＤ規格に用いられているＥＦＭ（８−１４）変調や、８ビットのデータを１６ビットのデータ列に置き換えて記録する８−１６変調方式に代え、１−７変調方式が採用されている。
【０００７】
ところで、この１−７変調方式の場合、最短マークである２Ｔ信号のマーク長は、レーザスポット径に対し約１／３程度の大きさであるため、光記録媒体に照射された記録再生光による信号振幅を殆ど得ることができない。このため、記録された２Ｔ信号の情報の読み取りは、信号レベル、即ち、アシンメトリの変動によって行われることになる。
【０００８】
さらに、１−７変調方式の場合、高密度記録を行うために、例えば、最短マークである２Ｔ信号のマーク長がレーザスポット径に対し約１／３程度の大きさであり、また、その次に大きい３Ｔ信号のマーク長がレーザスポット径に対し約１／２程度の大きさとなる。このようにすることにより、記録された情報の読み取りは、信号振幅が得られない２Ｔ信号の場合は、信号レベル、即ち、アシンメトリの変動によって行われ、一方、３Ｔ以上の信号の場合は、信号振幅による読み取りが行われることにより、従来以上の高密度記録を可能にする。
【０００９】
特に、有機色素記録層を備える追記型光記録媒体の場合は、相変化材料を含有する記録層と比べ、通常、短い記録マークが形成しにくい傾向がある。このため、上述したように、２Ｔ信号のように極端に小さい記録マークを形成する場合、アシンメトリが略ゼロ近傍にならず、記録された情報の読み取りエラーが発生するという問題が生じている。
【００１０】
本発明は、かかる技術的課題を解決するためになされたものである。
即ち、本発明の目的は、光記録媒体に、信号長がレーザ光のスポット径より小さい記録マークを高密度で記録する情報記録方法を提供することにある。
また、本発明の他の目的は、信号長がレーザ光のスポット径より小さい記録マークを高密度で記録することに適した情報記録媒体を提供することにある。
【課題を解決するための手段】
【００１１】
かかる目的のもと、本発明によれば、記録層を有する情報記録媒体に情報を記録する方法であって、所定の信号長を有する信号をレーザ光により記録層に記録するための記録パワーを決定するパワーキャリブレーション工程と、パワーキャリブレーション工程により決定された記録パワーに基づき、信号長がレーザ光のスポット径の１／２以下である信号をレーザ光により記録層に記録するための記録パワーの補完を行う補完工程と、を有することを特徴とする情報記録方法が提供される。
【００１２】
本発明が適用される情報記録方法における補完工程は、信号長がレーザ光のスポット径の１／２以下である信号を、記録層に設けられた試し書き領域に予め記録し、記録された記録マークから再生されたＲＦ信号のアシンメトリが略ゼロになるように、キャリブレーション動作を繰り返す処理を有することが好ましい。即ち、このような処理を行うことにより、信号長がレーザ光のスポット径の１／２より大きい信号を記録するためのキャリブレーションに加えて、信号長がレーザ光のスポット径の１／２以下である信号を記録するためのキャリブレーションを複数回行うことになる。
【００１３】
また、本発明が適用される情報記録方法における補完工程は、情報記録媒体に信号を記録する場合の記録速度に応じて、それぞれ、信号長がレーザ光のスポット径の１／２以下である信号を記録するための記録パワーを補完する処理を行うことが好ましい。即ち、レーザ光の照射条件は、記録速度に応じて異なるからである。
【００１４】
一方、予め、複数の記録速度について、所定の信号長を有する信号と記録パワーとのキャリブレーションを行い、例えば、２Ｔ信号と３Ｔ信号と（但し、Ｔは１チャネルクロックである。）の記録パワーの比率を求めておくことが考えられる。この場合、補完工程は、基準となる記録速度により記録した、信号長がレーザ光のスポット径の１／２以下である信号の記録パワーに基づき、所定の記録速度における記録パワーを算出することが可能になる。
【００１５】
本発明が適用される情報記録方法における補完工程は、情報の信号長が、レーザ光のスポット径の１／３以下である信号をレーザ光により記録層に記録するための記録パワーの補完を行う場合に適用すると、例えば、２Ｔ信号のように極端に小さいマークを形成するのには、パルスの長さのみでは所定のアシンメトリに記録することが出来ないという問題を解消し、最短マークでも正確に形成することができる情報記録方法を提供することができる。
【００１６】
また、本発明が適用される情報記録方法において使用するレーザ光は、所定の間隔をもって情報記録媒体の記録層に断続的に照射されるパルス照射であることが好ましい。
さらに、レーザ光は、（ｎ−１）個若しくは（ｎ−２）個（但し、ｎが２のときは１個である。）の記録パルスを記録層に照射し、長さｎＴ（但し、ｎは２以上の整数であり、Ｔは１チャネルクロックである。）の記録マークを形成するものである。このようなパルス照射によれば、例えば、次世代ＤＶＤ技術の一つとして考えられるレーザスポット径の１／２以下のマーク形成を行うような高密度記録に、特に有効である。
【００１７】
さらに情報記録媒体が有する記録層は、有機色素を含有するものであることが好ましい。即ち、本発明が適用される情報記録方法によれば、相変化材料を含有する記録層と比べ、短い記録マークが形成しにくい有機色素層を有する追記型光記録媒体に、効率よく２Ｔ信号のように極端に小さい記録マークをも形成することができる。
【００１８】
一方、本発明によれば、基板と、基板上に設けられ、レーザ光の照射により情報が記録される記録層と、を有し、信号長がレーザ光のスポット径の１／２以下である信号をレーザ光により記録層に記録するための記録パワーのデータが記録されている所定の領域を備える情報記録媒体が提供される。
このような所定の領域に、例えば、記録層を構成する有機色素の物性や基板に形成される案内溝の形状等により、ある程度予想が出来る信号長の記録マークの記録パワーの補完に関する情報を、ユーザーが使用する前に予め記録されていることにより、キャリブレーションに要する時間を短縮する手段として有効である。
【００１９】
このような所定の領域には、信号長がレーザ光のスポット径の１／２以下である信号を記録するための最適記録パワーのデータが記録されていることが好ましい。
さらに、所定の領域には、レーザ光により情報を記録する場合の記録速度に応じて、それぞれ、信号長がレーザ光のスポット径の１／２以下である信号を記録するためのデータが記録されていることが好ましい。即ち、記録速度（線速度）によって、レーザ光の記録パワーが異なるので、記録速度（線速度）ごとに、信号長がレーザ光のスポット径の１／２以下である信号を記録するためのデータが、ユーザーが使用する前に予め記録されていることは、キャリブレーションに要する時間を短縮する手段として有効な方法である。
【００２０】
また、所定の領域には、基準となる記録速度において、レーザ光により信号長がレーザ光のスポット径の１／２以下である信号を記録するためのデータが記録されていることが好ましい。例えば、記録速度（線速度）と基準速度との比率を用いることにより、異なる記録速度（線速度）ごとに、信号長がレーザ光のスポット径の１／２以下である信号を記録するための記録パワーの補完に関するデータを算出することができる。
【００２１】
一方、本発明が適用される情報記録媒体が有する所定の領域は、記録層に形成されることが好ましい。
さらに、このような所定の領域は、情報記録媒体を製造する際に、スタンパのカッティング工程において基板に形成され、信号長がレーザ光のスポット径の１／２以下である信号を記録するためのデータが埋め込まれることが好ましい。
【００２２】
さらに、本発明によれば、記録層を有する情報記録媒体に情報を記録するための記録パワーを決定する方法であって、所定の信号長を有する信号をレーザ光により記録層に記録するための記録パワーを決定するパワーキャリブレーション工程と、パワーキャリブレーション工程により決定された記録パワーに基づき、信号長がレーザ光のスポット径の１／２以下である信号をレーザ光により記録層に記録するための記録パワーの補完を行う補完工程と、を有する記録パワー決定方法が提供される。
【発明の効果】
【００２３】
本発明によれば、光記録媒体に、レーザスポット径より小さい記録マーク長の光情報を高密度で記録する光情報の記録方法が得られる。
【発明を実施するための最良の形態】
【００２４】
以下、添付図面を参照して、本発明を実施するための最良の形態（以下、実施の形態と記す。）について説明する。
図１は、本実施の形態が適用される情報記録方法により情報を記録する情報記録媒体を説明する図である。図１には、情報記録媒体として、有機色素を含有する記録層を設けた追記型の光記録媒体１００が示されている。光記録媒体１００は、ポリカーボネート樹脂製の第１基板１０１と、この第１基板１０１上に順番に形成された第１中間層１０２と、第１記録層１０３と、第１反射層１０４と、第１カバー層１０５と、を有し、さらに、同じ構成、即ち、第２基板１０６と、第２中間層１０７と、第２記録層１０８と、第２反射層１０９と、第２カバー層１１０と、を有するもう一枚の基板が、接着層１１１を介して、第１カバー層１０５及び第２カバー層１１０が向き合うように貼り合わせた構造を有している。
【００２５】
第１基板１０１及び第２基板１０６は、射出成形によって作製され、例えば、直径１２０ｍｍ、厚さ０．６ｍｍのポリカーボネート樹脂板の表面に、グルーブ幅（ＷＧ）２００ｎｍ、ランド幅（ＷＬ）２２５ｎｍ、トラックピッチ（Ｗ）０．４２５μｍの溝が形成されている。第１基板１０１及び第２基板１０６には、ディスク認識情報やアドレス情報等を、溝のウォブルによってあらかじめ記録してある。これらのディスク認識情報やアドレス情報等はプリマークによっても形成可能である。尚、情報記録用のトラックとしては溝を用いた。第１中間層１０２及び第２中間層１０７は、例えば、アルゴンガス中でターゲットとしてＺｎＳ−ＳｉＯ２を用いて、厚さ２０ｎｍに形成されている。尚、第１中間層１０２または第２中間層１０７は、ＳｉＯ２を用いることもできる。
【００２６】
第１記録層１０３及び第２記録層１０８は、例えば、カルボスチリル系化合物の中、下記式で表される有機色素０．５ｇをオクタフルオロペンタノール４０ｇに溶解し、これを４０℃下３０分間超音波分散した後、０．２μｍのフィルターでろ過し、回転数１３００ｒｐｍでスピンコートし、８０℃のオーブンで３０分間乾燥して形成される。
【００２７】
【化１】
2005116153.tif 000003
【００２８】
尚、第１記録層１０３または第２記録層１０８に含有される有機色素としては、例えば、下記式で表される化合物を使用することができる。さらに、第１記録層１０３または第２記録層１０８は、他の記録層材料、例えば相変化型記録材料、光磁気材料等も用いることができる。
【００２９】
【化２】
2005116153.tif 000004
【００３０】
第１反射層１０４及び第２反射層１０９は、それぞれスパッタ法により第１記録層１０３と第２記録層１０８上に設けられる。第１カバー層１０５及び第２カバー層１１０は、例えば、それぞれ第１反射層１０４と第２反射層１０９上に、紫外線硬化樹脂の前駆体をスピンコートし、紫外線照射により硬化させ、厚さ０．１ｍｍに形成される。接着層１１１は、遅効性紫外線硬化型接着剤が用いられる。
【００３１】
次に、光記録媒体１００に情報を記録する方法について説明する。光記録媒体１００に情報を記録する方法は、第１記録層１０３又は第２記録層１０８にレーザ光１１２のパルス照射を行うことによって情報を記録する。具体的には、長さｎＴ（但し、ｎは２以上の整数であり、Ｔは１チャネルクロックである。）の記録マークは、記録パルス（ｎ−１）個もしくは記録パルス（ｎ−２）個（但し、ｎが２のときは１個である。）のパルス照射を、第１記録層１０３又は第２記録層１０８に行うことによって形成される。このようなレーザ光のパルス照射は、（ｎ−１）ストラテジ又は（ｎ−２）ストラテジと呼ばれ、有機色素を含有する追記型光記録媒体に情報の記録を行う場合、光ディスクの蓄熱効果により照射されたレーザ光のパルス幅よりも長い記録マークが形成されることを避ける方法として知られている。表１に、長さ２Ｔ〜８Ｔの記録マークを形成するためのパルス照射のマルチパルス列の例を示す。
【００３２】
【表１】
2005116153.tif 000005
【００３３】
図２は、長さ８Ｔの記録マークを形成するパルス照射の記録制御パルスを説明する図である。図２に示した記録制御パルスは、Ｐｗ（記録パワー）を可変にし、Ｐｂ（バイアスパワー）は０．２ｍＷに設定し、記録パターンは単一パターンを用いた。図２に示すように、記録制御パルスを３つの部分に分割し、最初のパルスをＦＲＰ（先頭パルス）、このＦＲＰに続く記録パワーのパルスの最終のパルスの１個手前までをＭＬＰ（マルチパルス）、そして、最後のパルスをＥＮＰ（最終パルス）とし、各々のパルス幅をＴＴｏｐ、Ｔｍｐ、Ｔｌｐとする。また、各々のパルスの基準クロックとのディレイをＴＳＦＰ、ＴＳＭＰ、ＴＳＬＰとしている。
【００３４】
光記録媒体１００に情報を記録するための条件は、光記録媒体１００の記録速度（線速度）を、４ｍ／ｓ、６ｍ／ｓ、９ｍ／ｓ、１２ｍ／ｓの４種類とし、各記録速度（線速度）における１チャネルクロックＴは、それぞれ、２２．５ｎｓ（４ｍ／ｓ）、１５ｎｓ（６ｍ／ｓ）、１０ｎｓ（９ｍ／ｓ）、７．５ｎｓ（１２ｍ／ｓ）である。使用した半導体レーザは、波長４０５ｎｍであり、Ｎ／Ａ＝０．６５である。また、レーザスポット径は４０５／０．６５＝６２３ｎｍである。
【００３５】
次に、記録マークの所定の信号長とレーザ光の記録パワー（Ｐｗ）とのキャリブレーションについて説明する。
本実施の形態において、記録層を有する光記録媒体に信号を記録する際、実際の信号を記録する前に、予め試し書きを行い、その後、試し書きの部分を再生し、再生した信号の信号品位に基づき、実際の信号を記録するための最適記録パワーを得るというキャリブレーションが行われる。例えば、ＣＤ−Ｒの場合は、ＰＣＡ（Ｐｏｗｅｒ  Ｃａｌｉｂｌａｔｉｏｎ  Ａｒｅａ）と称する試し書き領域が、光記録媒体の最内周に設けられている。また、キャリブレーション動作をＯＰＣ（Ｏｐｔｉｍｕｍ  Ｐｏｗｅｒ  Ｃｏｎｔｒｏｌ）という。このＯＰＣを行うには、ＣＤ−Ｒドライブの場合、先ず、光記録媒体に設けられたＰＣＡに、レーザ光のパワーを数段階又は連続的に変化させてテスト用信号（ＥＦＭ：Ｅｉｇｈｔ  ｔｏ  Ｆｏｕｒｔｅｅｎ  Ｍｏｄｕｌａｔｉｏｎ）を書き込む。次に、ＰＣＡに書き込まれた部分を再生し、再生されたＲＦ信号の信号品位から、最適な書き込みが行われた位置を求める。そして、その位置の信号を記録した時点のレーザーパワーを最適記録パワーとする。ＲＦ信号の信号品位のチェックは、ＲＦ信号のアシンメトリ（非対称性）を検出して行われる。
【００３６】
図５は、アシンメトリ（非対称性）を説明する図である。図５（ａ）は、記録パワーが不足した場合であり、図５（ｂ）は、記録パワーが適正な場合であり、図５（ｃ）は、記録パワーが過大な場合である。図５の横軸は時間（ｔ）であり、縦軸は高周波信号（再生信号）（ＨＦ  Ｓｉｇｎａｌ）であり、Ａ１は上側包絡線のレベル、Ａ２は下側包絡線のレベルを示す。再生信号は、高周波信号（ＨＦ  Ｓｉｇｎａ１）と呼ばれる信号で検出される。
【００３７】
アシンメトリを検出するには、光記録媒体に再生用レーザ光を照射して得られるＲＦ信号に基づき、所定の検出回路（図示せず）により、記録パワーごとに、上側包絡線のレベルＡ１に達したトップピークと、下側包絡線のレベルＡ２に達したボトムピークを検出する。次に、所定の演算回路（図示せず）により、記録パワーごとに、次式で定義されるアシンメトリ（β）値が演算される。
β＝（Ａ１＋Ａ２）／（Ａｌ−Ａ２）
【００３８】
図５（ａ）に示すように、記録パワーが不足しているときは、上側包絡線のレベルＡ１と下側包絡線のレベルＡ２とが、共に下側にシフトする。一方、図５（ｃ）に示すように、記録パワーが過大なときは、上側包絡線のレベルＡ１と下側包絡線のレベルＡ２とが、共に上側にシフトする。上述したように、アシンメトリ（β）値は、シフト量を信号振幅で正規化した量として定義されるので、記録パワーが適正ならば、アシンメトリ（β）値は略ゼロ（β≒０）になり、この場合の記録パワーを最適記録パワーとして決定する。従って、この最適記録パワーを用いてデータ記録領域に実記録を行えば、最良の状態で記録、再生を行うことができる。
【００３９】
キャリブレーションは、表１に示したパルス照射の記録制御パルスにより光記録媒体１００に記録した所定の信号長の記録マークを再生し、それぞれの記録マークから得られる再生信号の８Ｔ信号に対するアシンメトリ（β）と、それぞれの記録マークを記録するための記録パワーとの関係を求めることにより行う。再生信号の測定は、ディスク特性測定機（パルステック社製ＤＤＵ−１０００）によって行った。測定条件は光記録媒体１００を線速６ｍ／ｓになるように回転させ、波長４０５ｎｍの半導体レーザ光を開口数０．６５の対物レンズで集光させて、再生パワー０．２ｍＷで再生した。再生信号は、パーソナルコンピュータからマルチシグナルジェネレーターに任意の波形データを入力することにより、目的とする信号をマルチシグナルジェネレーターからＤＤＵ−１０００へ出力し、記録した。
【００４０】
尚、未記録状態におけるノイズは、周波数１２ＭＨｚにおける再生信号のノイズレベルをスペクトラムアナライザーにより測定した。ここで、ＲＢＷ（分解能帯域幅）は３０ｋＨｚ、ＶＢＷ（ビデオ帯域幅）は１００Ｈｚとし、その結果、ノイズレベルの測定値は−７５．０ｄＢｍである。
【００４１】
図３は、記録速度（線速度）６．０ｍ／ｓにおける記録マークの所定の信号長とレーザ光のＰｗ（記録パワー）とのキャリブレーションの結果を説明するためのグラフである。図３（ａ）は、８Ｔ信号に対する各々の信号長を有する記録マークの信号のアシンメトリ（β）を、記録パワーに対してプロットしたグラフであり、図３（ｂ）は、各々の信号長を有する記録マークの信号のＣ／Ｎ比を、記録パワーに対してプロットしたグラフである。
【００４２】
図３（ａ）及び図３（ｂ）によれば、レーザ光のスポット径の１／２よりも大きい信号長を有する５Ｔ〜８Ｔ信号は、Ｃ／Ｎ比が、記録パワー５．０ｍＷ〜５．５ｍＷの範囲においてピークを示し、８Ｔ信号に対するアシンメトリ（β）が、全記録パワーにおいて０％±５％内で略一致している。次に、レーザ光のスポット径の２／３の信号長を有する４Ｔ信号は、Ｃ／Ｎ比が、記録パワー５．０ｍＷ〜５．５ｍＷの範囲においてピークを示し、８Ｔ信号に対するアシンメトリ（β）が、記録パワー４．０ｍＷ〜６．０ｍＷの範囲において０％＋５％内で略一致し、記録パワー６．５ｍＷ以上の高パワーにおいて１０％以上になる。
【００４３】
一方、レーザ光のスポット径の約１／２以下の信号長である３Ｔ信号は、Ｃ／Ｎ比が、記録パワー６．０ｍＷにおいて最大となり、８Ｔ信号に対するアシンメトリ（β）が、記録パワー５ｍＷ以下の範囲において−５％以上に大きく変動し、記録パワー６．０ｍＷにおいてアシンメトリ（β）が０％となり、それ以上の記録パワーにおいては、アシンメトリ（β）はプラスに大きく変動する。さらに、レーザ光のスポット径の約１／３の信号長を有する２Ｔ信号は、Ｃ／Ｎ比が、７．０ｍＷ以上において最大であり、８Ｔ信号に対するアシンメトリ（β）が、３Ｔ信号と異なり、記録パワーは６．５ｍＷ以上において０％となる。
【００４４】
図３（ａ）及び図３（ｂ）に示した結果から、レーザ光のスポット径の１／２以下の信号長を有する２Ｔ信号及び３Ｔ信号は、８Ｔ信号に対するアシンメトリ（β）が０％になる記録パワーが、他の４Ｔ〜８Ｔ信号とは異なる挙動を示すことが分かる。このことは、２Ｔ信号及び３Ｔ信号と、他の４Ｔ〜８Ｔ信号とを的確に記録するためには、記録マークの所定の信号長とレーザ光の記録パワーとのキャリブレーションの結果に基づき、２Ｔ信号及び３Ｔ信号を記録するための記録パワーの補完を、各々の信号について行う必要があることを示している。
【００４５】
このことより、信号長ｎＴの記録マークを形成する光記録装置の記録において、パルス照射のトップパワーのキャリブレーションを各々の記録マークについて行い、少なくともレーザ光のスポット径の１／２よりも小さい最短マークと、その次に大きな短マークの記録パワーの補完を個別に行うことにより、記録される信号のアシンメトリ（β）を一致させることができ、その結果、総ての信号長ｎＴの記録マークを的確に記録することができる。
【００４６】
次に、記録速度（線速度）を変えて同様の検証を行い、各記録速度（線速度）における２Ｔ信号および３Ｔ信号の最適記録パワーを測定した。結果を表２に示す。
【００４７】
【表２】
2005116153.tif 000006
【００４８】
表２には、各記録速度（線速度）における、２Ｔ信号および３Ｔ信号のアシンメトリ（β）が約０％となる最適記録パワーを示している。表２の結果から、各記録速度（線速度）における２Ｔ信号と３Ｔ信号との最適記録パワーの比率は略同じであることが分かる。このことから、信号長がレーザ光のスポット径の１／２よりも小さいマーク（２Ｔ信号および３Ｔ信号）を記録する際には、記録パワーの補完は、基準となる記録速度（線速度）における記録パワーに基づき、所定の計算式により大まかに算出した数値を用いて行うことができることが分かる。
【００４９】
従って、各々の記録速度（線速度）ごとに、２Ｔ信号〜８Ｔ信号の総てを的確に記録するためには、所定の信号長を有する記録マークとレーザ光の記録パワーとのキャリブレーションの結果に基づき、２Ｔ信号及び３Ｔ信号を記録するための記録パワーの補完をそれぞれ行う必要があることが分かる。また、記録速度（線速度）が異なる諸条件においても、本実施の形態の記録方法が有効であることが分かる。
また、その具体的な方法としては、上述したように、複数の記録速度（線速度）におけるキャリブレーションを行い、２Ｔ信号及び３Ｔ信号を記録するための記録パワーの補完を行う方法と、基準となる記録速度（線速度）における記録パワーに基づき、所定の計算式により大まかに算出した数値を用いて行う方法とが有効である。
【００５０】
上述したように、光記録媒体に、レーザ光のスポット径より小さい記録マーク長の光情報を高密度で記録する場合、情報の記録を行うごとに随時、記録パワーの補完のキャリブレーションを行うことが理想的である。これはドライブに搭載されているピックアップの精度誤差や環境温度等により、印加されるレーザパワーが異なったり、生産される媒体の品質のバラツキ等により統一された条件を保つことが困難である場合に有効である。
【００５１】
尤も、記録層を構成する有機色素の物性や基板に形成される案内溝の形状等により、ある程度予想が出来るマーク長の記録パワーの補完に関する情報を、ユーザーが使用する前に予め、情報記録媒体の所定の領域に記録されていることは、キャリブレーションに要する時間を短縮する手段として有効な方法である。
また、複数の記録速度（線速度）において行ったキャリブレーションにより得られた記録パワーの補完に関する情報を総て記録させることも可能である。これにより、キャリブレーションに要する時間を更に短縮させることができる。
【００５２】
一般に、ＤＶＤ−Ｒ等では、各種媒体メーカーの記録パワーに関する情報がドライブのメモリ内に格納されており、データの書き込みを行う都度、媒体情報を読み込み、この媒体情報に応じた記録条件を初期レーザパワーとして設定し、テストエリアを使ってＯＰＣ（Ｏｐｔｉｍｕｍ  Ｐｏｗｅｒ  Ｃｏｎｔｒｏｌ）を行った後、キャリブレーションにより求めた記録パワーによってデータの書き込みが行われている。
【００５３】
一方、本実施の形態が適用される情報記録方法においては、信号長がレーザ光のスポット径の１／２以下である記録マーク（２Ｔ及び３Ｔ）についてのキャリブレーションをさらに行い、２Ｔ信号および３Ｔ信号を記録するための記録パワーの補完を行うことにより、２Ｔマークおよび３Ｔマークのアシンメトリ（β）を約０％とすることが可能になる。
【００５４】
このような、レーザ光のパルス照射によって記録層に情報を記録する情報記録媒体において、レーザ光のスポット径の１／２以下の信号長である記録マークの記録パワーの補完に関するデータが、予め、所定の領域に記録されている情報記録媒体を製造する方法としては、以下の２通りが挙げられる。第１の方法としては、情報記録媒体の基板を製造する際に、スタンパのカッティング工程において、上述したデータを埋め込む方法が挙げられる。第２の方法としては、記録層を有する情報記録媒体を調製した後、適当な方法により、上述したデータを記録層に記録する方法が挙げられる。
【００５５】
図４は、本実施の形態が適用される情報記録方法による記録パワーの決定作業手順の流れを示すフローチャートである。初めに、初期条件（ディスク又はドライブに記憶されている情報）を読み込み（ステップ１０１）、続いて、最長マークの記録パワーを仮の決定する（ステップ１０２）。次に、（ｎ＋１）Ｔ信号のパワーキャリブレーションを行う。先ず、（ｎ＋１）Ｔ信号のアシンメトリ（β）（Ａ１）を測定し（ステップ１０３）、（ｎ＋１）Ｔ信号のアシンメトリ（β）（Ａ１）が、略ゼロ（Ａ１≒０）になるまで繰り返し（ステップ１０４）、（ｎ＋１）Ｔ信号の記録パワー（Ｐ１）を決定する（ステップ１０５）。続いて、最短マーク（ｎＴ）のパワーキャリブレーションを行う。先ず、ｎＴ信号のアシンメトリ（β）（Ａ０）を測定し（ステップ１０６）、ｎＴ信号のアシンメトリ（β）（Ａ０）が、略ゼロ（Ａ０≒０）になるまで繰り返し（ステップ１０７）、最短マーク（ｎＴ）記録パワー（Ｐ０）を決定する（ステップ１０８）。
【００５６】
尚、各信号長を有する記録マークの記録パワーを決定した後は、実際にデータの書き込みを行う際に、書き込み状態を検出をしながら記録パワーを補正し、記録パワーを最適化することが重要である。このようにすることにより、記録マークを安定して形成することができる。書き込み状態を検出する方法としては、いわゆるランニングＯＰＣにより、記録の戻り光を検出し、書き込み状態に応じて、記録パワーを補正をすることが有効である。この場合も、記録パワーに対する２Ｔ信号および３Ｔ信号に対する補完条件を予め設定しておけば、データ書き込み中であっても、常に、最適に２Ｔ信号および３Ｔ信号のアシンメトリ（β）を約０％とすることが可能になる。
【００５７】
尚、本実施の形態においては、記録パルスが均等な位置になるように記録パルス間を調整したが、記録パルス間が異なる場合でも、良好な結果を得ることができる。また、本実施の形態においては、波長４０５ｎｍのレーザ光を用いたが、より長波長のレーザ、例えば、６５０ｎｍ付近、７８０ｎｍ付近あるいは８３０ｎｍ付近のものを用いても同様の結果が得られる。また、本実施の形態においては、開口数０．６５のものを用いたが、０．４５〜０．７のものを用いても同様の結果が得られる。２つ以上のレンズを組み合わせ、０．７以上の開口数を持つものを用いても同様の結果が得られる。ＮＡ＝０．８５のレンズと波長４０５ｎｍのレーザとを組み合わせて用いることにより、高速かつ高密度の記録が可能になる。さらに、ＳＩＬ（Ｓｏｌｉｄ  Ｉｍｍｅｒｓｉｏｎ  Ｌｅｎｓ）等と組み合わせて実効ＮＡを１以上とし、エバネッセント光を用いたニアフィールド記録においても、同様の効果が得られる。
【産業上の利用可能性】
【００５８】
本発明の活用例としては、例えば、１．５ｂｉＴ／ｍ以上の高密度の記録を行う場合に有効である。また、最短マーク長が０．２０λ／ＮＡ（μｍ）〜０．５λ／ＮＡ（μｍ）（ＮＡ（開口率）＝０．６５〜０．８５、λ（記録再生波長）＝０．４０〜０．７０μｍ）で定義される１−７変調のランダムなマーク長変調記録を行う場合に、特に有効である。
【図面の簡単な説明】
【００５９】
【図１】本実施の形態が適用される情報記録方法により情報を記録する情報記録媒体を説明する図である。
【図２】長さ８Ｔの記録マークを形成するパルス照射の記録制御パルスを説明する図である。
【図３】記録マークの所定の信号長とレーザ光のＰｗ（記録パワー）とのキャリブレーションの結果を説明するグラフである。図３（ａ）は、８Ｔ信号に対する各々の信号長を有する記録マークの信号のアシンメトリを、記録パワーに対してプロットしたグラフであり、図３（ｂ）は、各々の信号長を有する記録マークの信号のＣ／Ｎ比を、記録パワーに対してプロットしたグラフである。
【図４】記録パワーの決定作業手順の流れを示すフローチャートである。
【図５】アシンメトリ（非対称性）を説明する図である。図５（ａ）は、記録パワーが不足した場合であり、図５（ｂ）は、記録パワーが適正な場合であり、図５（ｃ）は、記録パワーが過大な場合である。
【符号の説明】
【００６０】
１００…光記録媒体、１０１…第１基板、１０２…第１中間層、１０３…第１記録層、１０４…第１反射層、１０５…第１カバー層、１０６…第２基板、１０７…第２中間層、１０８…第２記録層、１０９…第２反射層、１１０…第２カバー層、１１１…接着層、１１２…レーザ光
【図１】
2005116153.tif 000007
【図２】
2005116153.tif 000008
【図３】
2005116153.tif 000009
【図４】
2005116153.tif 000010
【図５】
2005116153.tif 000011